(57)【要約】【課題】吸収体のくずれを防止する吸収性物品を提供する。【解決手段】下層吸収体２３Ｂにおける股間部を含む前後方向中間の所定部分が幅の狭い括れ部分として形成され、上層吸収体２３Ｕにおける幅方向中央線の左右両側に、上層吸収体２３Ｕの表裏面に貫通する上層スリット４０が、股間部から後側部分にかけてそれぞれ延在される。下層吸収体２３Ｂはスリットを有しない。下層吸収体２３Ｂと上層吸収体２３Ｕとは相互に直接接触するように配置され、下層吸収体２３Ｂ及び上層吸収体２３Ｕをコアラップ２６によって一体的に包む構造とされる。トップシート２２と吸収体２３との間にメッシュフィルムである中間シート２５が介在される。【選択図】図４
2010194218.tif 000002
【特許請求の範囲】
【請求項１】
股間部の前側及び後側にそれぞれ延出する前側部分及び後側部分を有し、
少なくとも股間部から後側部分にかけて前後方向に延在する下層吸収体が設けられるとともに、この下層吸収体の上に、下層吸収体よりも幅が狭く且つ少なくとも股間部から後側部分にかけて前後方向に延在する上層吸収体が設けられた、吸収性物品において、
前記下層吸収体は、股間部を含む前後方向中間の所定部分が幅の狭い括れ部分として形成されており、
前記上層吸収体における幅方向中央線の左右両側に、上層吸収体の表裏面に貫通する上層スリットが、股間部から後側部分にかけてそれぞれ延在されており、
この上層スリットは、前記下層吸収体の括れ部分のうち後側に向かうにつれて幅が拡大し始める後側拡幅開始位置よりも後側において、後側に向うにつれてより幅方向外側に位置するように延在するか又は幅方向に沿って幅方向中央側から幅方向外側に向かって延在する拡散促進部分を有し、
透液性を有するメッシュフィルムが前記上層吸収体の上側に配置されて、上層スリットの上面をこのメッシュフィルムが覆い、
前記下層吸収体には、少なくとも上層スリットと重なる位置にスリットを有しない、
ことを特徴とする吸収性物品。
【請求項２】
前記下層吸収体と前記上層吸収体とが直接接触するように、前記下層吸収体の上に前記上層吸収体が積層され、これら前記下層吸収体及び前記上層吸収体をコアラップが一体的に包むことを特徴とする請求項１記載の吸収性物品。
【請求項３】
前記上層吸収体がパルプ及びポリマーにより形成され、前記上層吸収体におけるパルプ/ポリマーの比を１．５以上とすることを特徴とする請求項１記載の吸収性物品。
【請求項４】
前記上層吸収体がパルプのみにより形成されることを特徴とする請求項１記載の吸収性物品。
【発明の詳細な説明】
【技術分野】
【０００１】
本発明は、吸収性物品に関するものである。
【背景技術】
【０００２】
吸収性物品においては、種々の吸収性能が要求され、その代表的なものの一つに逆戻り性能がある。逆戻りとは吸収体により一度吸収された尿が再び物品表面に戻り出てくる現象であり、逆戻りし易いと、不必要に肌が排泄物で汚れるといった問題点がるため、逆戻りし難いものが望まれている。特に、このような要望は成人向けの使い捨ておむつ、吸収パッド等の吸収性物品に多いものである。このような逆戻りに対する解決策も種々提案されており（例えば特許文献２、３参照）、表面シート、中間シート（吸収体と表面シートとの間に介在される）、吸収体等の素材として最適なものを用いることが、一般的に行われていた。
【０００３】
この一方、尿を逆戻りし難くする為に、上記の中間シートとしてセカンドメッシュフィルム（以下、単に「メッシュフィルム」という）を採用する他、吸収体を下層吸収体及び上層吸収体に別けた２層構造とすることも考えられていた。但し、メッシュフィルム及び２層構造の吸収体を採用している従来の大人用紙おむつでは、このメッシュフィルムが尿の吸収阻害を起こす虞もある為、下層吸収体及び上層吸収体にスリットをそれぞれ設けて、このスリットによって吸収性を高めた構造を採用していた。
【０００４】
そして、従来の構造では、このスリットが存在するのに伴い、上層吸収体にパルプ層のみの吸収体を採用して、上層吸収体のスリットで分離された部分をコアラップで包まない形としていた。
【先行技術文献】
【特許文献】
【０００５】
【特許文献１】特開２００５−１９８５９８号公報
【特許文献２】特表２００４−５１２８６２号公報
【特許文献３】特表２００４−５００９３２号公報
【発明の概要】
【発明が解決しようとする課題】
【０００６】
しかしながら、下層吸収体及び上層吸収体にそれぞれスリットを設け、上層吸収体をコアラップで包まないという構造とした場合、スリットによる空間がこれら吸収体に存在することや、コアラップで上層吸収体を包まないことが原因で、吸収体の剛性が低下していた。この結果として、高排尿量時には排尿の重みによって吸収体の形状にくずれが生じる虞があることが問題とされていた。
そこで、本発明の主たる課題は、吸収体のくずれを防止し得る吸収性物品を提供することにある。
【課題を解決するための手段】
【０００７】
上記課題を解決した本発明は次記のとおりである。
＜請求項１記載の発明＞
股間部の前側及び後側にそれぞれ延出する前側部分及び後側部分を有し、
少なくとも股間部から後側部分にかけて前後方向に延在する下層吸収体が設けられるとともに、この下層吸収体の上に、下層吸収体よりも幅が狭く且つ少なくとも股間部から後側部分にかけて前後方向に延在する上層吸収体が設けられた、吸収性物品において、
前記下層吸収体は、股間部を含む前後方向中間の所定部分が幅の狭い括れ部分として形成されており、
前記上層吸収体における幅方向中央線の左右両側に、上層吸収体の表裏面に貫通する上層スリットが、股間部から後側部分にかけてそれぞれ延在されており、
この上層スリットは、前記下層吸収体の括れ部分のうち後側に向かうにつれて幅が拡大し始める後側拡幅開始位置よりも後側において、後側に向うにつれてより幅方向外側に位置するように延在するか又は幅方向に沿って幅方向中央側から幅方向外側に向かって延在する拡散促進部分を有し、
透液性を有するメッシュフィルムが前記上層吸収体の上側に配置されて、上層スリットの上面をこのメッシュフィルムが覆い、
前記下層吸収体には、少なくとも上層スリットと重なる位置にスリットを有しない、
ことを特徴とする吸収性物品。
【０００８】
（作用効果）
本発明者の知見によれば、透液性を有するメッシュフィルムを上層吸収体の上側に配置して、上層スリットの上面をこのメッシュフィルムが覆っている他、上層吸収体及び下層吸収体の内の上層吸収体にのみスリットを設けた構造を採用した。このことで、上層スリットにより尿の拡散経路が確保されて、股間部において局所的に吸収体に至った尿が上層スリットに沿って後側に拡散し、この拡散の過程で上層スリットの拡散促進部分に沿って尿が幅方向外側にも拡散する。
【０００９】
さらに、本請求項では、臀部の体圧のかかる部分である、股間部から後側部分にかけてそれぞれ上層スリットが延在されているため、体圧がかかった状態でも効率よく尿が拡散する。また、後側拡幅開始位置よりも後側において、後側に向うにつれてより幅方向外側に位置するように延在するか又は幅方向に沿って幅方向中央側から幅方向外側に向かって上層スリットが延在しているため、臀部の幅広い吸収体に効率よく尿を拡散できる。
【００１０】
そして、より幅の広い下層吸収体に対して幅方向に広範囲に拡散供給されて、上層吸収体及び下層吸収体によって尿が吸収されるため、メッシュフィルムを設けたこととも相まって、尿が逆戻りし難くなる。他方、本請求項では、上層吸収体にのみスリットを設け、下層吸収体にはスリットが設けられていなことから、吸収体全体としての強度が確保され、更に、最も吸収体が崩れやすい股間部以外の股間部から後側部分で積極的に尿を吸収させることで、排尿の重みによる吸収体くずれを防止することができる。
【００１１】
＜請求項２記載の発明＞
前記下層吸収体と前記上層吸収体とが直接接触するように、前記下層吸収体の上に前記上層吸収体が積層され、これら前記下層吸収体及び前記上層吸収体をコアラップが一体的に包むことを特徴とする請求項１記載の吸収性物品。
【００１２】
（作用効果）
下層吸収体と上層吸収体とが直接接触する形で、コアラップが下層吸収体及び上層吸収体を一体的に包むことで、排尿の重みによる吸収体くずれを防止する上述の効果がより一層の高いものとなる。
【００１３】
＜請求項３記載の発明＞
前記上層吸収体がパルプ及びポリマーにより形成され、前記上層吸収体におけるパルプ/ポリマーの比を１．５以上とすることを特徴とする請求項１記載の吸収性物品。
【００１４】
（作用効果）
このように、上層吸収体をパルプ及びポリマーにより形成し、この上層吸収体におけるパルプ/ポリマーの比を１．５以上としたことで、パルプに対するポリマーの比率が低下するのに伴って、この上層吸収体で尿を吸収し難くなる。この結果として、最も吸収体が崩れやすい股間部以外の下層吸収体の部分に積極的に尿を吸収させて、吸収体の崩れをより確実に防止できるようになる。
【００１５】
＜請求項４記載の発明＞
前記上層吸収体がパルプのみにより形成されることを特徴とする請求項１記載の吸収性物品。
【００１６】
（作用効果）
このように、上層吸収体がパルプのみにより形成されて、上層吸収体にポリマーが存在しないのに伴って、この上層吸収体で尿を吸収し難くなる結果、上記請求項と同様に、最も吸収体が崩れやすい股間部以外の下層吸収体の部分に積極的に尿を吸収させて、吸収体の崩れをより確実に防止できるようになる。
【発明の効果】
【００１７】
以上のとおり本発明の吸収性物品によれば、吸収体のくずれを防止するという優れた効果を奏するようになる。
【図面の簡単な説明】
【００１８】
【図１】テープ式使い捨ておむつの展開状態の内面側を示す平面図である。
【図２】要部のみを示す平面図である。
【図３】図１のＹ−Ｙ断面図である。
【図４】図１のＺ−Ｚ断面図である。
【図５】図２の要部のみを示す平面図である。
【図６】変形例の図３に対応する断面図である。
【発明を実施するための形態】
【００１９】
以下、本発明の一実施形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
【００２０】
図１〜図４は、本発明に係る吸収パッド例２００を示している。この吸収パッド２００は、股間部Ｃ２と、その前後両側に延在する前側部分Ｆ２及び後側部分Ｂ２とを有するものである。各部の寸法は適宜定めることができ、例えば、物品全長（前後方向長さ）Ｍは３５０〜７００ｍｍ程度、全幅Ｗ１は１３０〜４００ｍｍ程度（ただし、おむつの吸収面の幅より狭い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００２１】
吸収パッド２００は、外面に外装シート３２が積層された不透液性バックシート２１の内面と、透液性トップシート２２との間に、吸収体２３が介在された基本構造を有している。
【００２２】
つまり、吸収体２３の裏面側には、吸収体２３より遙かに大きく形成された不透液性バックシート２１が設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２３】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２５】
トップシート２２と吸収体２３との間には、メッシュフィルムである中間シート２５が介在されている。つまり、この中間シート２５は、吸収体２３により吸収した尿の逆戻りを防止するために設けられるものであり、保水性が低く且つ透液性の高い素材であるメッシュフィルムにより形成されている。
【００２６】
トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは後述する上層吸収体２３Ｕの幅Ｌ２の５０〜９０％程度であるのが好ましい。
【００２７】
吸収パッド２００の前後方向両端部では、外装シート３２および透液性トップシート２２が吸収体２３の前後端よりも前後両側にそれぞれ延在されて貼り合わされ、吸収体２３の存在しないエンドフラップ部ＥＦが形成されている。吸収パッド２００の両側部では、外装シート３２が吸収体２３の側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３の存在しないサイドフラップ部ＳＦを構成している。これら貼り合わせ部分は、図１では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えて不透液性バックシート２１をサイドフラップ部ＳＦまで延在させ、サイドフラップ部ＳＦの外面側を形成することができる。
【００２８】
バリヤシート２４の素材としては、プラスチックシートやメルトブローン不織布を使用することもできるが、肌への感触性の点で、不織布にシリコンなどにより撥水処理をしたものが好適に使用される。
【００２９】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００３０】
また、両バリヤシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して起立可能なバリヤ部となる部分であり、その起立基端２４ｂはバリヤシート２４における幅方向外側の固定部分２４ｘと内側の部分２４ｃとの境に位置する。
【００３１】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。また、吸収体２３の形状は、相対的に前側の部分が後側の部分よりも幅広な帯状、あるいは長方形状、台形状等、適宜の形状とすることができる。
【００３２】
この一方、吸収体２３は、下層吸収体２３Ｂの上に、下層吸収体２３Ｂの幅Ｌよりも幅Ｌ２が狭く且つ少なくとも股間部Ｃ２から後側部分Ｂ２にかけて前後方向に延在する上層吸収体２３Ｕが積層された二層構造となっている。また、これら下層吸収体２３Ｂと上層吸収体２３Ｕとは相互に直接接触するように配置されていて、高吸収性ポリマー粒子を混合する場合等には、これら下層吸収体２３Ｂ及び上層吸収体２３Ｕをクレープ紙や不織布等で形成されたコアラップ２６によって一体的に包む構造とされている。そして、本実施形態においてこのコアラップ２６は、図３に示すように上層吸収体２３Ｕの上側を覆う上側コアラップ２６Ａと下層吸収体２３Ｂの下側を包む下側コアラップ２６Ｂとにより構成されている。但し、図１のＺ−Ｚ断面に対応する部分では、図４に示すようにコアラップ２６の両サイドが切断された構造ともされている。
【００３３】
ここで、不織布としては、ポリエチレンやポリプロピレン等のポリオレフィンや、ポリエチレンテレフタレート等のポリエステル、ナイロン（登録商標）等のポリアミド等の熱可塑性ポリマー材料からなる繊維を構成繊維とすることが考えられる。また、これらの繊維は、芯鞘型あるいはサイドバイサイド型等の複合繊維としても良い。
【００３４】
以上から、実施形態では、前述の透液性を有するメッシュフィルムである中間シート２５が、コアラップ２６を介して、上層吸収体２３Ｕの上側に配置され、後述する上層スリット４０の上面をこの中間シート２５が覆う構造とされている。さらに、上層吸収体２３Ｕの前後方向長さＭ４は下層吸収体２３Ｂの前後方向長さＭ３と同じであっても良いが、７０〜８５％程度とするのが望ましい。また、上層吸収体２３Ｕの全幅Ｌ２は下層吸収体２３Ｂの全幅Ｌの４０〜６０％程度とするのが望ましい。
【００３５】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００３６】
そして、下層吸収体２３Ｂ及び上層吸収体２３Ｕは高吸収性ポリマーの他に、前述のようにパルプを含むことがあるが、パルプを含む場合には、下層吸収体２３Ｂのパルプ/ポリマーの比は、吸収効果を高めるために、３以下とすることが考えられ、また、上層吸収体２３Ｕのパルプ/ポリマーの比は、排尿の重みによる吸収体くずれを防止するために、１．５以上とすることが考えられ、特に１．９が最適となる。
【００３７】
下層吸収体２３Ｂは、股間部Ｃ２を含む前後方向中間の所定部分が幅の狭い括れ部分２３ｎとして形成されている。この括れ部分２３ｎの最小幅Ｌ３は、括れ部分２３ｎの前後に位置する非括れ部分の幅Ｌ１の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｌ３となる部位（最小幅部位）は２５〜３０％の範囲に位置しているのが好ましい。また、下層吸収体２３Ｂは、少なくとも次述の上層スリット４０と重なる位置にスリットを有しないものであり、この部位以外にスリットを有していても良いが、全体にわたりスリットを有しないのが望ましい。
【００３８】
上層吸収体２３Ｕは、幅方向中央線の左右両側に、表裏面に貫通する上層スリット４０が、股間部Ｃ２から後側部分Ｂ２にかけてそれぞれ延在されており、この上層スリット４０は、下層吸収体２３Ｂの括れ部分２３ｎのうち後側に向かうにつれて幅が拡大し始める後側拡幅開始位置（最小幅部位）２３ｗよりも後側において、後側に向うにつれてより幅方向外側に位置するように延在するか、又は幅方向に沿って幅方向中央側から幅方向外側に向かって延在する拡散促進部分４１を有している。この拡散促進部分４１は図示例のように下層吸収体２３Ｂの括れ部分２３ｎに沿う円弧状等の曲線状をなしているのが好ましいが、直線状であっても良い。また、図示形態の上層吸収体２３Ｕは、長方形状をなしているが、下層吸収体と同様に前後方向中間部に括れ部分を有していても良い（図示略）。
【００３９】
このような構造を有していると、座位時のように厚さ方向の圧縮力が加えられた状態でも、上層スリット４０が尿の拡散経路として確保されるため、図５に矢印で示すように、股間部Ｃ２の排泄位置（図中の黒塗り星マーク）において局所的に吸収体２３に至った尿が上層スリット４０に沿って後側に拡散する過程で、上層スリット４０の拡散促進部分４１に沿って幅方向外側にも拡散し、より幅の広い下層吸収体２３Ｂに対して幅方向に広範囲に拡散供給される。よって、上層吸収体２３Ｕ及び下層吸収体２３Ｂによって尿が吸収されるため、メッシュフィルムとされる中間シート２５を設けたこととも相まって、逆戻りが発生し難く成る。また、上層スリット４０が股間部Ｃ２まで存在していることにより、物品の股間部Ｃ２と身体とのフィット性が良好となる。
【００４０】
なお、このような観点から、上層スリット４０の拡散促進部分４１の前端は、下層吸収体２３Ｂの括れ部分２３ｎにおける後側拡幅開始位置２３ｗを通る幅方向線上またはその近傍に位置しているのが好ましい。また、上層スリット４０の拡散促進部分４１における幅方向外側縁の接線と前後方向とのなす角をθ１とし、下層吸収体２３Ｂの括れ部分２３ｎの側縁の接線と前後方向とのなす角をθ２としたとき、上層スリット４０の拡散促進部分４１と対応する前後方向範囲内の各前後方向位置において、次の関係式、
０°  ≦  θ１  ≦  ９０°
θ１−２０°  ≦  θ２  ≦  θ１＋２０°
を満足するように構成されているのが好ましく、
特に、次の関係式、
０°  ≦  θ１  ≦  ４０°
θ１−１０°  ≦  θ２  ≦  θ１＋５°
を満足するように構成されているのが好ましい。
【００４１】
さらに、上層スリット４０の拡散促進部分４１の後端は下層吸収体２３Ｂの側縁から離間しているのが好ましい。この場合、その幅方向離間距離Ｌ１が、下層吸収体２３Ｂにおける括れ部分２３ｎの後端の幅をＬとしたとき、１０ｍｍ  ≦  Ｌ１  ≦  Ｌ／３の関係を満足するように構成されているのが好ましく、特に５０ｍｍ  ≦  Ｌ１  ≦  Ｌ／３の関係を満足するように構成されているのが好ましい。このように、上層スリット４０の拡散促進部分４１の後端を下層吸収体２３Ｂの側縁からある程度離間させつつ、十分に下層吸収体２３Ｂの側部まで延在させることにより、上層スリット４０による幅方向の拡散が過大とならない範囲で、下層吸収体２３Ｂに対して十分に広範囲に尿を拡散することができるようになる。
【００４２】
また、吸収性物品の全長をＭとし、上層スリット４０の拡散促進部分の後端よりも後側部分Ｂ２の前後方向長さをＭ１とし、上層スリット４０の拡散促進部分４１の後端よりも前側部分の前後方向長さをＭ２としたとき、Ｍ／２  ≦  Ｍ２  ＜  Ｍの関係を満足するように構成されているのが好ましく、特にＭ／７  ≦  Ｍ２  ＜  Ｍ／３の関係を満足するように構成されているのが好ましい。このように、上層スリット４０の拡散促進部分４１の後端を十分に後側に延在させつつも、物品後端から十分に離間させることにより、上層スリット４０による後側への拡散が適度となる。上層スリット４０をあまりに物品後側まで延在させると、後側への拡散が過大となって、いわゆる背漏れが発生するおそれがある。
【００４３】
以上より、本実施形態によれば、透液性を有するメッシュフィルムとされる中間シート２５を上層吸収体２３Ｕの上側に配置して、上層スリット４０の上面をこのメッシュフィルムが覆っている他、上層吸収体２３Ｕ及び下層吸収体２３Ｂの内の上層吸収体２３Ｕにのみスリットを設けた構造を採用している。このことで、上層スリット４０により尿の拡散経路が確保されて、股間部Ｃ２において局所的に吸収体に至った尿が上層スリット４０に沿って後側に拡散し、この拡散の過程で上層スリット４０の拡散促進部分４１に沿って尿が幅方向外側にも拡散するようになる。
【００４４】
他方、本実施形態では、上層吸収体２３Ｕにのみスリットを設け、下層吸収体２３Ｂにはスリットが設けられていなことから、吸収体全体としての強度が確保され、更に、最も吸収体２３が崩れやすい股間部Ｃ２以外の股間部Ｃ２から後側部分で積極的に尿を吸収させることになる。この結果として、排尿の重みによる吸収体くずれを防止することができる。
【００４５】
さらに、下層吸収体２３Ｂと上層吸収体２３Ｕとが直接接触する形で、コアラップ２６がこれら下層吸収体２３Ｂ及び上層吸収体２３Ｕを一体的に包むことで、排尿の重みによる吸収体くずれを防止する効果がより一層の高いものとなる。
【００４６】
また、本実施形態では、上層吸収体２３Ｕをパルプ及びポリマーにより形成し、この上層吸収体２３Ｕにおけるパルプ/ポリマーの比を１．５以上となっている。このことで、パルプに対するポリマーの比率が低下するのに伴って、この上層吸収体２３Ｕで尿を吸収し難くなる結果として、最も吸収体２３が崩れやすい股間部Ｃ２以外の下層吸収体２３Ｂの部分に積極的に尿を吸収させて、吸収体２３の崩れをより確実に防止できるようにもなる。
【００４７】
上層スリット４０の幅ｗは適宜定めることができるが、通常の場合１０〜３０ｍｍの範囲内にあるのが好ましく、特に１０〜１５ｍｍの範囲内にあるのが好ましい。上層スリット４０の幅ｗが狭過ぎるとスリットが幅方向に潰れ易くなり、狭過ぎるとスリット４０内に上下部材（例えば吸収体２３の包装シート）が入り込み、いずれにせよ拡散のための空間が減少するため好ましくない。
【００４８】
一方、上層スリット４０は、拡散促進部分４１の前側に連続する部分として、左右のスリット間隔ｄが２０〜４０ｍｍである導入部分４２を有しているのが好ましい。より好ましい間隔ｄは１０〜４０ｍｍである。この導入部分４２の前側端から物品の前端までの距離Ｍ５は、物品全長の１／３程度（例えば、物品全長Ｍが６３０ｍｍであれば、距離Ｍ５を２５０ｍｍとする）であり、排尿口部より後側位置に上層スリット４０を配置することにより、吸収体２３の一部のみに尿を吸収させない構造として、吸収体崩れをより確実に防止できるようになる。
【００４９】
上記とは別に、本実施形態の変形例として、コアラップ２６を図６に示す袋状に一体的に形成した袋状コアラップ２６Ｃにより構成してもよい。尚、上記実施形態では、吸収体２３を構成する上層吸収体２３Ｕと下層吸収体２３Ｂとが、相互に接着されていない構造としたが、これらが相互に接着された構造としても良い。また、上層吸収体２３Ｕと下層吸収体２３Ｂとが積繊されていても良い。
【００５０】
さらに、上記実施形態と異なり、上層吸収体２３Ｕをパルプのみにより形成しても良い。このように、上層吸収体２３Ｕをパルプのみにより形成することで、上層吸収体２３Ｕにポリマーが存在しないのに伴って、この上層吸収体２３Ｕで尿をより一層吸収し難くなる。この結果として、上層吸収体２３Ｕをパルプのみにより形成した場合でも、上記実施形態と同様に、最も吸収体２３が崩れやすい股間部Ｃ２以外の下層吸収体２３Ｂの部分に積極的に尿を吸収させることによって、吸収体２３の崩れを確実に防止できるようになる。
【００５１】
他方、股間部Ｃ２へのフィット性を高めるために、吸収パッド２００の幅方向両側部における吸収体２３の裏面側に、前側部分Ｆ２から後側部分Ｂ２にわたり延在するように糸ゴム等の細長状弾性部材を設けることもできるが、上層スリット４０の存在により股間部Ｃ２へのフィット性が高くなるため、図示形態のように省略することができる。
【産業上の利用可能性】
【００５２】
本発明は、吸収パッド、パンツタイプ若しくはテープタイプ使い捨ておむつ、または整理用ナプキン等、吸収性物品全般に利用できるものである。
【符号の説明】
【００５３】
２１…不透液性バックシート、２２…透液性トップシート、２３Ｕ…上層吸収体、２３Ｂ…下層吸収体、２４…バリヤシート、２６…コアラップ、３２…外装シート、４０…上層スリット、２００…吸収パッド。
【図１】
2010194218.tif 000003
【図２】
2010194218.tif 000004
【図３】
2010194218.tif 000005
【図４】
2010194218.tif 000006
【図５】
2010194218.tif 000007
【図６】
2010194218.tif 000008